(57)【要約】【課題】簡易な操作により扉の開錠ができ、かつセキュリティ性の高い携帯電話による遠隔警備システムを提供する。【解決手段】本遠隔警備システム１は、利用者７が所持する携帯電話８によりメール自動応答手段２及び自動電話応答手段３に対して操作され、メール自動応答手段２の利用者認証部１５は、利用者７の携帯電話８から発信された返答メールに含まれるワンタイムＩＤと回答フレーズとで本人認証を行い、自動電話応答手段３は、ワンタイムＩＤと開錠される出入口扉６に表示された固有の扉コード１６とにより本人認証を行い、その利用者７が出入口扉６の前にいることを確認し、遠隔警備管理サーバ４は、利用者認証部１５と自動電話応答手段３とが本人認証をすると、警備制御装置５にその扉コード１６に対応する出入口扉６を開錠させる。【選択図】図１
2010285771.tif 000002
【特許請求の範囲】
【請求項１】
建物内の出入口扉を遠隔操作により開錠する遠隔警備システムであって、
登録された利用者が所持する携帯電話のメールアドレスと、設定された質問フレーズに対して利用者が登録した回答フレーズと、を記憶する個人情報記憶部と、
利用者の携帯電話から送信された空メールを受信する空メール受信部と、
個人情報記憶部に記憶された利用者の登録メールアドレスにより利用者本人の携帯電話であることを確認する携帯電話確認部と、
ワンタイムＩＤと質問フレーズと自動電話応答手段の電話番号とが含まれた返信メールを利用者に送信する返信メール送信部と、
利用者の携帯電話から返信され、ワンタイムＩＤと回答フレーズとが含まれた返答メールを受信する返答メール受信部と、
返答された回答フレーズと登録された回答フレーズとの比較から本人認証を行う利用者認証部と、を備えるメール自動応答手段と、
利用者が、携帯電話により自動電話応答手段の電話番号に電話をかけると、ワンタイムＩＤと開錠される出入口扉に表示された固有の扉コードとを質問し、その返事から利用者の本人認証及び位置確認を行う自動電話応答手段と、
メール自動応答手段の利用者認証部と自動電話応答手段とが共に本人認証すると、警備制御装置にその扉コードに対応する出入口扉を開錠させる遠隔警備管理サーバと、
を備えることを特徴とする携帯電話による遠隔警備システム。
【請求項２】
請求項１に記載の携帯電話による遠隔警備システムであって、個人情報記憶部は、システムの利用者の携帯電話番号をメールアドレスに関連させて記憶し、自動電話応答手段は、個人情報記憶部に記憶された登録携帯電話番号とかけられた携帯電話番号とを比較することで本人の携帯電話であることを確認することを特徴とする携帯電話による遠隔警備システム。
【請求項３】
請求項１又は２に記載の携帯電話による遠隔警備システムであって、個人情報記憶部は、異なる質問フレーズとそれに対する回答フレーズとのセットを複数記憶し、利用者認証部は、複数の質問フレーズからランダムに質問フレーズを選択し、返信メール送信部に返信させることを特徴とする携帯電話による遠隔警備システム。
【請求項４】
請求項１乃至３のいずれか１に記載の携帯電話による遠隔警備システムであって、遠隔警備管理サーバは、入力された警備のレベルにより、利用者認証部に複数の質問フレーズから２つ以上の質問フレーズを選択させ、返信メール送信部に返信させることを特徴とする携帯電話による遠隔警備システム。
【請求項５】
請求項１乃至４のいずれか１に記載の携帯電話による遠隔警備システムであって、遠隔警備管理サーバは、個人情報記憶部に対して選択された質問フレーズに対する登録された回答フレーズを削除させ、利用者に新たな回答フレーズを登録させることを特徴とする携帯電話による遠隔警備システム。
【請求項６】
建物内の出入口扉を遠隔操作により開錠する遠隔警備方法であって、
登録された利用者が所持する携帯電話のメールアドレスと、設定された質問フレーズに対して利用者が登録した回答フレーズと、を記憶するステップと、
利用者の携帯電話から送信された空メールを受信するステップと、
記憶された利用者の登録メールアドレスにより利用者本人の携帯電話であることを確認するステップと、
ワンタイムＩＤと質問フレーズと自動電話応答システムの電話番号とが含まれた返信メールを利用者に送信するステップと、
利用者の携帯電話から返信され、ワンタイムＩＤと回答フレーズとが含まれた返答メールを受信するステップと、
返答された回答フレーズと登録された回答フレーズとの比較から本人認証を行うステップと、
利用者が、携帯電話により自動電話応答システムの電話番号に電話をかけると、ワンタイムＩＤと開錠される出入口扉に表示された固有の扉コードを質問し、その返事から利用者の本人認証及び位置確認を行うステップと、
メールと電話とでの本人認証により共に本人であることが確認されると、その扉コードに対応する出入口扉を開錠させるステップと、
を備えることを特徴とする遠隔警備方法。
【請求項７】
請求項６に記載の携帯電話による遠隔警備方法であって、利用者の携帯電話番号をメールアドレスに関連させて記憶し、利用者が、携帯電話により自動電話応答システムの電話番号に電話をかけると、記憶された登録携帯電話番号とかけられた携帯電話番号とを比較することで本人の携帯電話であることを確認することを特徴とする携帯電話による遠隔警備方法。
【請求項８】
請求項６又は７に記載の携帯電話による遠隔警備方法であって、異なる質問フレーズとそれに対する回答フレーズとのセットを複数記憶し、複数の質問フレーズからランダムに質問フレーズを選択することを特徴とする携帯電話による遠隔警備方法。
【請求項９】
請求項６乃至８のいずれか１に記載の携帯電話による遠隔警備方法であって、入力された警備のレベルにより、複数の質問フレーズから２つ以上の質問フレーズを選択することを特徴とする携帯電話による遠隔警備方法。
【請求項１０】
請求項６乃至９のいずれか１に記載の携帯電話による遠隔警備方法であって、選択された質問フレーズに対して登録された回答フレーズを削除させ、利用者に新たな回答フレーズを登録させることを特徴とする携帯電話による遠隔警備方法。
【発明の詳細な説明】
【技術分野】
【０００１】
本発明は、携帯電話による遠隔警備システムに係り、特に、建物内の出入口扉を遠隔操作により開錠する携帯電話による遠隔警備システムに関する。
【背景技術】
【０００２】
例えば、オフィス・ビル、工場、研究所、病院などの建物や施設内において、従業員などに個人認証カードを持たせて室の出入の際の個人認証を行う警備システムが採用されている。
【０００３】
しかし、この個人認証カードによる警備システムでは、例えば、従業員などが室の出入口で個人認証カードを自宅に置き忘れたことに気が付いた場合、従業員が個人認証カードを通勤途中で紛失した場合、或いは非常事態が発生して個人認証カードなしで室の出入口の開錠をしなければならない場合などが発生する虞がある。これらの場合に、仮の個人認証カードを発行したり、複雑で時間のかかる個人認証カードの再発行をしたりするのが一般的である。また、非常事態が発生した場合には、個人認証カードによる警備システム自体が逆効果になる場合もある。
【０００４】
一方、特許文献１には、携帯電話を用いた個人認証方法及びシステムが開示されている。ここでは、ユーザの会員ＩＤとパスワードは、それぞれ認証支援システム及びエントランス管理サーバに個別に秘密に管理され、それぞれの認証が成功するとエントランスドアが開錠することが記載されている。
【先行技術文献】
【特許文献】
【０００５】
【特許文献１】特開２００５−１２８８４７号公報
【発明の概要】
【発明が解決しようとする課題】
【０００６】
従来の警備システムでは、例えば、従業員などが室の出入口で個人認証カードを自宅に置き忘れたことに気が付いた場合、従業員が個人認証カードを通勤途中で紛失した場合、或いは非常事態が発生して個人認証カードなしで室の出入口の開錠をしなければならない場合などが発生した場合に、仮の個人認証カードを発行したり、複雑で時間のかかる個人認証カードの再発行をしたりするなど複雑な手続が必要であった。
【０００７】
また、複数の室を有する建物や施設では、上述した事態が発生した場合には、どの出入口の扉を開錠するかを特定しなければならない。しかし、従来の警備システムでは、この点の対策が採られていない。このため、個人認証カードを忘れた従業員、個人認証カードを紛失した従業員などは、警備センターに電話により説明するか、書類を作成するという手間がかかっていた。
【０００８】
また、従来の警備システムでは、個人認証カードを紛失した従業員などが、開錠したい出入口の扉の前にいるかが判定できないため、紛失した個人認証カードを取得した外部の者により悪戯される虞があった。
【０００９】
本願の目的は、かかる課題を解決し、簡易な操作により出入口の扉の開錠ができ、かつセキュリティ性の高い携帯電話による遠隔警備システムを提供することである。
【課題を解決するための手段】
【００１０】
上記目的を達成するため、本発明に係る携帯電話による遠隔警備システムは、建物内の出入口扉を遠隔操作により開錠する遠隔警備システムであって、登録された利用者が所持する携帯電話のメールアドレスと、設定された質問フレーズに対して利用者が登録した回答フレーズと、を記憶する個人情報記憶部と、利用者の携帯電話から送信された空メールを受信する空メール受信部と、個人情報記憶部に記憶された利用者の登録メールアドレスにより利用者本人の携帯電話であることを確認する携帯電話確認部と、ワンタイムＩＤと質問フレーズと自動電話応答手段の電話番号とが含まれた返信メールを利用者に送信する返信メール送信部と、利用者の携帯電話から返信され、ワンタイムＩＤと回答フレーズとが含まれた返答メールを受信する返答メール受信部と、返答された回答フレーズと登録された回答フレーズとの比較から本人認証を行う利用者認証部と、を備えるメール自動応答手段と、利用者が、携帯電話により自動電話応答手段の電話番号に電話をかけると、ワンタイムＩＤと開錠される出入口扉に表示された固有の扉コードとを質問し、その返事から利用者の本人認証及び位置確認を行う自動電話応答手段と、メール自動応答手段の利用者認証部と自動電話応答手段とが共に本人認証すると、警備制御装置にその扉コードに対応する出入口扉を開錠させる遠隔警備管理サーバと、を備えることを特徴とする。
【００１１】
上記構成により、携帯電話による遠隔警備システムは、メール自動応答手段の利用者認証部が、利用者の携帯電話から発信された返答メールに含まれるワンタイムＩＤと回答フレーズとで本人認証を行い、自動電話応答手段が、ワンタイムＩＤと開錠される出入口扉に表示された固有の扉コードとにより本人認証を行う。このように、携帯電話のメール機能と電話機能を活用し、携帯電話のみの操作で簡易に本人認証を行うことができる。また、遠隔警備管理サーバは、メール自動応答手段の利用者認証部と自動電話応答手段とが本人であることを認証すると、警備制御装置にその扉コードに対応する出入口扉を開錠させる。このように、本システムは、メール自動応答手段及び自動電話応答手段を併用することで簡易な手段により利用者に対して出入口扉を開錠させることができる。さらに、本システムは、複数の出入口扉に固有のＩＤコードを割り振って出入口扉に表示することで、その利用者が出入口扉の前に居ることが確認でき、より高いセキュリティ性を有することができる。
【００１２】
また、携帯電話による遠隔警備システムは、個人情報記憶部が、システムの利用者の携帯電話番号をメールアドレスに関連させて記憶し、自動電話応答手段が、個人情報記憶部に記憶された登録携帯電話番号とかけられた携帯電話番号とを比較することで本人の携帯電話であることを確認することが好ましい。これにより、自動電話応答手段は、利用者の登録された携帯電話番号から自動的に登録された携帯電話であるかどうかが確認ができる。
【００１３】
また、携帯電話による遠隔警備システムは、個人情報記憶部が、異なる質問フレーズとそれに対する回答フレーズとのセットを複数記憶し、利用者認証部が、複数の質問フレーズからランダムに質問フレーズを選択し、返信メール送信部に返信させることが好ましい。これにより、特定の質問フレーズに対する回答フレーズが他人に漏洩した場合、或いは特定の質問フレーズに対する回答フレーズが推測し易い場合でもセキュリティ性を確保できる。
【００１４】
また、携帯電話による遠隔警備システムは、遠隔警備管理サーバが、入力された警備のレベルにより、利用者認証部に複数の質問フレーズから２つ以上の質問フレーズを選択させ、返信メール送信部に返信させることが好ましい。これにより、警備上の要求によりセキュリティ性を上げなければならない場合でも容易に対応できる。
【００１５】
さらに、携帯電話による遠隔警備システムは、遠隔警備管理サーバが、個人情報記憶部に対して選択された質問フレーズに対する登録された回答フレーズを削除させ、利用者に新たな回答フレーズを登録させることが好ましい。これにより、回答フレーズのセキュリティの度合いを上げることができる。
【００１６】
上記目的を達成するため、本発明に係る携帯電話による遠隔警備方法は、建物内の出入口扉を遠隔操作により開錠する遠隔警備方法であって、登録された利用者が所持する携帯電話のメールアドレスと、設定された質問フレーズに対して利用者が登録した回答フレーズと、を記憶するステップと、利用者の携帯電話から送信された空メールを受信するステップと、記憶された利用者の登録メールアドレスにより利用者本人の携帯電話であることを確認するステップと、ワンタイムＩＤと質問フレーズと自動電話応答システムの電話番号とが含まれた返信メールを利用者に送信するステップと、利用者の携帯電話から返信され、ワンタイムＩＤと回答フレーズとが含まれた返答メールを受信するステップと、返答された回答フレーズと登録された回答フレーズとの比較から本人認証を行うステップと、利用者が、携帯電話により自動電話応答システムの電話番号に電話をかけると、ワンタイムＩＤと開錠される出入口扉に表示された固有の扉コードを質問し、その返事から利用者の本人認証及び位置確認を行うステップと、メールと電話とでの本人認証により共に本人であることが確認されると、その扉コードに対応する出入口扉を開錠させるステップと、を備えることを特徴とする。
【００１７】
上記構成により、携帯電話による遠隔警備方法は、メール自動応答手段の利用者認証部が、利用者の携帯電話から発信された返答メールに含まれるワンタイムＩＤと回答フレーズとで本人認証を行い、自動電話応答手段が、ワンタイムＩＤと開錠される出入口扉に表示された固有の扉コードとにより本人認証を行う。このように、携帯電話のメール機能と電話機能を活用し、携帯電話のみの操作で簡易に本人認証を行うことができる。また、遠隔警備管理サーバは、メール自動応答手段の利用者認証部と自動電話応答手段とが本人であることを認証すると、警備制御装置にその扉コードに対応する出入口扉を開錠させる。このように、本システムは、メール自動応答手段及び自動電話応答手段を併用することで簡易な手段により利用者に対して出入口扉を開錠させることができる。さらに、本システムは、複数の出入口扉に固有のＩＤコードを割り振って出入口扉に表示することで、その利用者が出入口扉の前に居ることが確認でき、より高いセキュリティ性を有することができる。
【００１８】
また、携帯電話による遠隔警備方法は、利用者の携帯電話番号をメールアドレスに関連させて記憶し、利用者が、携帯電話により自動電話応答システムの電話番号に電話をかけると、記憶された登録携帯電話番号とかけられた携帯電話番号とを比較することで本人の携帯電話であることを確認することが好ましい。これにより、自動電話応答手段は、利用者の登録された携帯電話番号から自動的に登録された携帯電話であるかどうかが確認ができる。
【００１９】
また、携帯電話による遠隔警備方法は、異なる質問フレーズとそれに対する回答フレーズとのセットを複数記憶し、複数の質問フレーズからランダムに質問フレーズを選択することが好ましい。これにより、特定の質問フレーズに対する回答フレーズが他人に漏洩した場合、或いは特定の質問フレーズに対する回答フレーズが推測し易い場合でもセキュリティ性を確保できる。
【００２０】
また、携帯電話による遠隔警備方法は、入力された警備のレベルにより、複数の質問フレーズから２つ以上の質問フレーズを選択することが好ましい。これにより、警備上の要求によりセキュリティ性を上げなければならない場合でも容易に対応できる。
【００２１】
さらに、携帯電話による遠隔警備方法は，選択された質問フレーズに対して登録された回答フレーズを削除させ、利用者に新たな回答フレーズを登録させることが好ましい。これにより、回答フレーズのセキュリティの度合いを上げることができる。
【発明の効果】
【００２２】
以上のように、本発明に係る携帯電話による遠隔警備システムによれば、簡易な操作により出入口扉の開錠ができ、かつセキュリティ性の高い携帯電話による遠隔警備システムを提供することができる。
【図面の簡単な説明】
【００２３】
【図１】本発明に係る携帯電話による遠隔警備システムの一つの実施形態の概略構成を示すブロック図及び説明図である。
【図２】利用者の携帯電話とメール自動応答手段との応答を示すブロック図及び説明図である。
【図３】利用者の携帯電話と自動電話応答手段との応答を示すブロック図及び説明図である。
【図４】個人情報記憶部に記憶された登録質問フレーズとそれに対する登録回答フレーズとの１つの実施例を示す説明図である。
【図５】本発明に係る携帯電話による遠隔警備方法の１つの実施形態の概略構成であり、利用者の携帯電話とメール自動応答手段との応答を示すフローチャートである。
【図６】本発明に係る携帯電話による遠隔警備方法の１つの実施形態の概略構成であり、利用者の携帯電話と自動電話応答手段との応答を示すフローチャートである。
【図７】本発明に係る携帯電話による遠隔警備方法の１つの実施形態の概略構成であり、遠隔管理サーバの動作を示すフローチャートである。
【発明を実施するための形態】
【００２４】
以下に、図面を用いて本発明に係る携帯電話による遠隔警備システムの実施形態につき、詳細に説明する。
【００２５】
（携帯電話による遠隔警備システム）
図１に、本発明に係る携帯電話による遠隔警備システムの一つの実施形態の概略構成を示す。携帯電話による遠隔警備システム１は、メール自動応答手段２、自動電話応答手段３、遠隔警備管理サーバ４、警備制御装置５、出入口扉６、利用者７、及び利用者７が所持する携帯電話８から構成される。そして、利用者７が所持する携帯電話８と、メール自動応答手段２及び自動電話応答手段３とは、通信回線２０を介して接続される。そして、メール自動応答手段２は、個人情報記憶部１０、空メール受信部１１、携帯電話確認部１２、返信メール送信部１３、返答メール受信部１４、及び利用者認証部１５から構成される。この携帯電話による遠隔警備システム１により建物内の出入口扉６を遠隔操作により開錠する。
【００２６】
図２に、利用者７の携帯電話８と、携帯電話による遠隔警備システム１のメール自動応答手段２との応答を示す。ここで利用者７は、本携帯電話による遠隔警備システム１を利用する複数の従業員などを代表し、携帯電話８は、本携帯電話による遠隔警備システム１を利用する複数の従業員などが所持する携帯電話を代表する。
【００２７】
個人情報記憶部１０は、登録された利用者７の所持する携帯電話８の登録メールアドレス１８と、携帯電話８の登録電話番号１９とを予め記憶しておく。また、個人情報記憶部１０は、設定された登録質問フレーズ２６と、質問フレーズ２６に対して利用者７が登録した登録回答フレーズ１７とを予め記憶しておく。
【００２８】
空メール受信部１１は、図２の矢印Ａに示すように利用者７の携帯電話８から送信された空メール２１を受信する。空メール受信部１１は、この空メール２１により携帯電話８のメールアドレス２３及び携帯電話番号２４を取得する。そして、携帯電話確認部１２は、個人情報記憶部１０に記憶された利用者７の登録メールアドレス１８及び登録携帯電話番号１９と、送信された携帯電話８のメールアドレス２３及び携帯電話番号２４とを比較する。そして、送信されたメールアドレス２３と登録メールアドレス１８とが同一であり、かつ送信された携帯電話番号２４と登録携帯電話番号１９とが同一であれば利用者７本人の携帯電話８から送信された空メール２１であると認証する。一方、少なくともいずれか一方が同一でない場合には、利用者７本人の携帯電話８から送信された空メール２１ではないと判断し、その空メール２１を無視する。
【００２９】
返信メール送信部１３は、携帯電話確認部１２が本人の携帯電話８から送信された空メール２１であると認証した場合には、図２の矢印Ｂに示すように、ワンタイムＩＤ２５と登録質問フレーズ２６と自動電話応答手段３の電話番号２７とが含まれた返信メール２２を利用者７に送信する。そして、返答メール受信部１４は、図２の矢印Ｃに示すように、利用者７の携帯電話８から送信された返答メール２８を受信する。この返答メール２８には、ワンタイムＩＤ２９と回答フレーズ３０とが含まれる。そして、利用者認証部１５は、個人情報記憶部１０に記憶された登録回答フレーズ１７と返答された回答フレーズ３０とが一致した場合には、本人からの返答メール２８であると判断し本人認証を行う。一方、個人情報記憶部１０に記憶された登録回答フレーズ１７と返答された回答フレーズ３０が一致しない場合には、本人からの返答メール２８ではないと判断して本人認証を行わない。
【００３０】
図３に、利用者７の携帯電話８と自動電話応答手段３との応答を示す。利用者７は、返信メール送信部１３から自動電話応答手段３の電話番号２７を獲得し、携帯電話８からその電話番号２７に確認電話３２をかける。自動電話応答手段３は、個人情報記憶部１０に記憶された登録携帯電話番号１９とかけられた携帯電話番号２４とを比較し、一致すると利用者７本人の携帯電話８であることを確認する。登録携帯電話番号１９とかけられた携帯電話番号２４とが一致しない場合には、利用者７本人の携帯電話８ではないと判断する。
【００３１】
自動電話応答手段３は、利用者７本人の携帯電話８であることを確認すると、この確認電話３１においてワンタイムＩＤ３１と開錠される出入口扉６に表示された固有の扉コード１６とを利用者７に質問する。利用者７は、携帯電話８での通話によりワンタイムＩＤ３１と開錠される出入口扉６に表示された固有の扉コード１６を回答する。自動電話応答手段３は、返信メール送信部１３からワンタイムＩＤ２５を獲得している。そして、利用者７が回答したワンタイムＩＤ３１と、返信メール送信部１３から獲得したワンタイムＩＤ２５とを比較する。そして、自動電話応答手段３は、それらが一致すると本人認証を行い、それらが異なる場合には本人認証を行わない。
【００３２】
また、自動電話応答手段３は、開錠される出入口扉６に表示された固有の扉コード１６を確認電話３２で問い合わせることで利用者７の位置確認を行う。すなわち、複数の室を有する建物や施設において、各出入口扉６には、固有のＩＤコードである扉コード１６が割り振られる。そして、各出入口扉１６にはその扉コード１６が表示される。この表示は、例えば、出入口扉６にその扉コード１６が印刷されたラベルを貼り付けるなどの方法による。利用者７は開錠して欲しい出入口扉６の前まで行かなければこの扉コード１６を取得できない。
【００３３】
そして、遠隔警備管理サーバ４は、メール自動応答手段２の利用者認証部１５と自動電話応答手段３とが共に本人であることを認証すると、警備制御装置５にその扉コード１６に対応する出入口扉６を開錠させる。これにより、紛失した個人認証カードを取得した外部の者により悪戯されることが防止できる。
【００３４】
図４に、個人情報記憶部１０に記憶された登録質問フレーズ２６とそれに対する登録回答フレーズ１７との１つの実施例を示す。個人情報記憶部１０は、異なる登録質問フレーズ２６とそれに対する登録回答フレーズ１７とのセットを複数記憶する。例えば、「ペットの名前は？」という登録質問フレーズ２６に対して「ミミ―」という登録回答フレーズ１７である。また、例えば、「好きな料理は？」という登録質問フレーズ２６に対して「イタリアン」という登録回答フレーズ１７である。また、例えば、「いってみたい国は？」という登録質問フレーズ２６に対して「ギリシャ」という登録回答フレーズ１７である。利用者認証部１５は、複数の登録質問フレーズ２６からランダムに登録質問フレーズ２６を選択し、返信メール送信部１３に返信させる。これにより、特定の登録質問フレーズ２６に対する登録回答フレーズ１７が他人に漏洩した場合、或いは特定の登録質問フレーズ２６に対する登録回答フレーズ１７が推測し易い場合でもセキュリティ性を確保できる。
【００３５】
また、遠隔警備管理サーバ４は、入力された警備のレベルにより、利用者認証部１５に複数の登録質問フレーズ２６から２つ以上の登録質問フレーズ２６を選択させ、返信メール送信部１３に返信させる。例えば、「好きな料理は？」という登録質問フレーズ２６と、「いってみたい国は？」という登録質問フレーズ２６とを選択し、双方の質問に対して答えさせ、すべての登録質問フレーズ２６に対して要録回答フレーズ１７が回答された場合にのみ本人認証を行う。これにより、警備上の要求によりセキュリティ性を上げなければならない場合でも容易に対応できる。
【００３６】
遠隔警備管理サーバ４は、個人情報記憶部１０に対して選択された登録質問フレーズ２６に対して利用者７が回答フレーズ３０を返答した場合には、個人情報記憶部１０に記憶された登録回答フレーズ１７を削除させ、利用者７に新たに登録させる。例えば、「いってみたい国は？」という登録質問フレーズ２６に対して「ギリシャ」という回答フレーズ３０を返答した場合には、他の回答フレーズ、例えば、「イタリア」を新たに登録回答フレーズ１７として個人情報記憶部１０に記憶させる。
【００３７】
（携帯電話による遠隔警備方法）
図５に、携帯電話８による遠隔警備方法のうち、利用者７の携帯電話８とメール自動応答手段２との応答をフローチャートで示す。まず、利用者７の携帯電話８のメールアドレス２３及び携帯電話番号２４と、設定された登録質問フレーズ２６に対して本人が登録した登録回答フレーズ１７とを記憶する（Ｓ１）。ここで、利用者７とは、携帯電話８による遠隔警備システム１を利用する従業員などをいう。そして、ある利用者７の携帯電話８から送信された空メール２１を受信すると（Ｓ２）、記憶された利用者７の登録メールアドレス１８及び登録携帯電話番号１９により利用者７本人の携帯電話８であるかどうかを確認する（Ｓ３）。利用者７本人の携帯電話８でない場合には、その空メール２１を無視してＳ２に戻り、利用者７本人の携帯電話８である場合には、次のステップに進み（Ｓ４）、ワンタイムＩＤ２５と登録質問フレーズ２６と自動電話応答システム３の電話番号２７とが含まれた返信メール２２を利用者７に送信する（Ｓ５）。そして、利用者７の携帯電話８から返信され返答メール２８を受信する（Ｓ６）。この返答メール２８には、ワンタイムＩＤ２９と回答フレーズ３０とが含まれる。この回答フレーズ３０について、利用者７本人が登録した登録回答フレーズ１７と比較し、利用者７本人であることの認証を行う（Ｓ７）。そして、本人認証の結果を記憶する（Ｓ８）。このあとのフローは、図６のＸ及び図７のＹに進む。
【００３８】
図６に、携帯電話８による遠隔警備方法のうち、利用者７の携帯電話８と自動電話応答手段３との応答をフローチャートで示す。利用者７が、携帯電話８により自動電話応答システム３の電話番号２７に電話をかける（Ｓ９）。登録された登録携帯電話番号１９とかけてきた携帯電話番号２４とを比較することで利用者７本人の携帯電話８であることを確認する（Ｓ１０）。利用者７本人の携帯電話８でない場合には、例えば、「お客様がかけられた携帯電話は登録されていません」などのメッセージとともに電話を切り、利用者７本人の携帯電話８である場合には、次のステップに進む（Ｓ１１）。すなわち、ワンタイムＩＤ２５と開錠される出入口扉６に表示された扉コード１６を質問する（Ｓ１２）。利用者７は、電話による通話でワンタイムＩＤ３１と開錠される出入口扉６に表示された扉コード１６を回答する（Ｓ１３）。そして、利用者７が回答したワンタイムＩＤ３１と利用者に返信メール２２で送信したワンタイムＩＤ２５とを比較して本人認証を行う（Ｓ１４）。このあとのフローは図７のＹに進む。
【００３９】
図７に、携帯電話８による遠隔警備方法のうち、遠隔管理サーバ４の動作をフローチャートで示す。返信メール２２と確認電話３２とでの本人認証が共に本人であることを確認する（Ｓ１５）。そして、共に利用者７本人であることが確認できれば次のスッテップに進み、少なくともいずれか一方が利用者７本人を確認できない場合にはＳ２に戻る（Ｓ１６）。そして、共に利用者７本人であることが確認できれば、その扉コード１６に対応する出入口扉６を開錠させる（Ｓ１７）。
【００４０】
上述した携帯電話８による遠隔警備方法ででは、異なる登録質問フレーズ２６とそれに対する登録回答フレーズ１７とのセットを複数記憶し、複数の登録質問フレーズ２６からランダムに登録質問フレーズ２６を選択しても良い。また、入力された警備のレベルにより、複数の登録質問フレーズ２６から２つ以上の登録質問フレーズ２６を選択しても良い。さらに、選択された登録質問フレーズ２６に対して回答された登録回答フレーズ１７を削除させ、利用者７に新たな登録回答フレーズ１７登録させても良い。
【符号の説明】
【００４１】
１  携帯電話による遠隔警備システム、２  メール自動応答手段、３  自動電話応答手段、４  遠隔警備管理サーバ、５  警備制御装置、６  出入口扉、７  利用者、８  携帯電話、１０  個人情報記憶部、１１  空メール受信部、１２  携帯電話確認部、１３  返信メール送信部、１４  返答メール受信部、１５  利用者認証部、１６  扉コード、１７  登録回答フレーズ、１８  登録メールアドレス、１９  登録携帯電話番号、２０  通信回線、２１  空メール、２２  返信メール、２３  メールアドレス、２４  携帯電話番号、２５，２９，３１  ワンタイムＩＤ、２６  登録質問フレーズ、２７  （自動電話応答手段の）電話番号、２８  返答メール、３０  回答フレーズ、３２  確認電話。
【図１】
2010285771.tif 000003
【図２】
2010285771.tif 000004
【図３】
2010285771.tif 000005
【図４】
2010285771.tif 000006
【図５】
2010285771.tif 000007
【図６】
2010285771.tif 000008
【図７】
2010285771.tif 000009